(57)【要約】      （修正有）【課題】仕上がり水の監視を着色と濁りによる汚濁情報のみで監視でき、導入費用、維持管理が安価かつ容易であり、周囲の電磁界のノイズや誤信号にも配慮した、価格対効果が大きい中小規模水処理装置の監視装置を提供する。【解決手段】中小規模の用水処理システムを監視するために、その仕上がり水質を監視する監視装置は監視装置制御部１２と、それとは離れて設置する監視装置検出部１１からなり、監視装置制御部１２には光電スイッチ１２１を備え、監視装置制御部１２と監視装置検出部１１は光ファイバー１２１３，光ファイバー１２１４で接続する。監視装置検出部１１が水質の異常を検出したとき、監視装置制御部１２へは光信号で送信することにより水質異常を監視する。【選択図】図１
0003166496.tif 000002
【実用新案登録請求の範囲】
【請求項１】
仕上がり水の水質を監視する監視装置１は監視装置制御部１２と、それとは離れて設置する監視装置検出部１１からなり、監視装置制御部１２には受光部１２１１と発光部１２１２を備えた光電スイッチ１２１を備え、監視装置制御部１２と監視装置検出部１１は光ファイバー１２１３，光ファイバー１２１４で接続し、光電スイッチ１２１の発光部１２１２で発せられた光は、光ファイバー１２１３により光ファイバー取り付け端１１３を介して監視装置検出部１１へ送られ、監視装置検出部１１に流れる試験水１１１１を通過して、光ファイバー取り付け端１１４から光ファイバー１２１４を通して監視装置制御部１２にある光電スイッチ１２１の受光部１２１１へ戻り、その受光した光の強さで監視装置検出部１１の試験水が汚濁しているかどうかを監視することにより、監視装置検出部１１と監視制御部１２を電気的に絶縁し、汚濁の監視機能を安定させたことを特徴とする中小規模水処理装置の監視装置。
【請求項２】
光電スイッチ１２１の発光部１２１２に青色発光ダイオードを使用することを特徴とする請求項１記載の中小規模用水処理装置の監視装置。
【請求項３】
光電スイッチ１２１は、監視装置検出部１１の汚濁しているかどうかの監視をタイマー１２２により監視時間を延長し、監視すべき水質の劣化と泡や、ごみによるものを区別できるようにしたことを特徴とする請求項１記載の中小規模用水処理装置の監視装置。
【考案の詳細な説明】
【技術分野】
【０００１】  本考案は中小規模の用水処理システムの運転中の不具合を、仕上がり水を監視して検出する監視装置に関する。
【背景技術】
【０００２】  現在、産業の基本としての水需要は減少しつつも、その重要性は変わらない。
需要に応じた用水を安定した水質、供給量をできるだけ安価に、確保する工夫が成されている。
監視装置は浄水場のような高品位、大量処理のシステムでは高価で高機能のものの中から選んで設置することができる。しかし、中小規模の用水処理システムに適応するものは販売されていない。
限定した機能と限定した信頼性、そして低価格である監視装置が必要である。
【先行技術文献】
【０００３】
【特許文献】
【特許文献】  特許公開２００７−２３７１０６
【考案の概要】
【考案が解決しようとする課題】
【０００４】  １）井戸を水源とする用水はほとんどの場合鉄分が含まれ、送水中や使用目的で空気酸化された水酸化鉄（ＩＩＩ）が生じるため、使用目的が着色するなどの不具合が生じるので、その不具合を早期に検出して対策する必要がある。
２）安価な用水を必要とする需要家には、高価な上水用の監視装置や担当職員を配置することができない。従って、現状では多くの中小規模の用水処理装置は監視されないで運転されており、異常仕上がり水は使用目的まで送られることがある。
【課題を解決するための手段】
【０００５】  仕上がり水の水質を監視する監視装置１は監視装置制御部１２と、それとは離れて設置する監視装置検出部１１からなり、監視装置制御部１２には受光部１２１１と発光部１２１２を備えた光電スイッチ１２１を備え、監視装置制御部１２と監視装置検出部１１は光ファイバー１２１３，光ファイバー１２１４で接続し、光電スイッチ１２１の発光部１２１２で発せられた光は、光ファイバー１２１３により光ファイバー取り付け端１１３を介して監視装置検出部１１へ送られ、監視装置検出部１１に流れる試験水１１１１を通過して、光ファイバー取り付け端１１４から光ファイバー１２１４を通して監視装置制御部１２にある光電スイッチ１２１の受光部１２１１へ戻り、その受光した光の強さで監視装置検出部１１の試験水１１１１が汚濁しているかどうかを監視することにより、監視装置検出部１１と監視制御部１２を電気的に絶縁し、汚濁の監視機能を安定させたことを特徴とする中小規模用水処理装置の監視装置。【０００６】  光電スイッチ１２１の発光部１２１２に青色の発光ダイオードを使用することを特徴とする中小規模用水処理装置の監視装置。【０００７】  監視装置制御部１２は、監視装置検出部１１の汚濁しているかどうかの監視をタイマー１２２により監視時間を延長し、監視すべき水質の劣化と泡や、ごみによるものを区別できるようにしたことを特徴とする請求項１記載の中小規模用水処理装置の監視装置。
【考案の効果】
【０００８】  仕上がり水の監視を着色と濁りによる汚濁情報のみで監視でき、導入費用、維持管理が安価かつ容易であり、周囲の電磁界のノイズや誤信号にも配慮した、価格対効果が大きい監視装置を提供できる。
【図面の簡単な説明】
【０００９】
【図１】本発明の中小規模用水処理用の監視装置の構成
【図２】本発明の中小規模用水処理用の監視装置を用いた水処理システムの構成
【考案を実施するための形態】
【００１０】  図２は本発明の中小規模用水処理用の監視装置を用いた水処理システムの構成を示す。
【００１１】  正常運転時においては、水処理指令装置６の指令により、井戸などの水源３より得られた原水は原水送水管３１で送水されるときに薬品を薬品槽２から薬品送液管２１により供給され、ろ過及び触媒機能を有する水処理部４に至る。薬品と触媒により処理され、ろ過された仕上がり水は仕上り水送水管７を経て仕上がり水水槽５に蓄えられ、使用目的に供給する。
仕上がり水は仕上がり水送水管７で送水中に仕上がり水送水管分流管７１で分流され、監視装置１へ供給される。
【００１２】  薬品の枯渇、原水の水質の変動、ポンプの故障、薬品による生成沈殿の溢流により、仕上がり水は汚濁した異常仕上がり水となることがある。
【００１３】  図１は監視装置１の構成を示す。監視装置１は監視装置検出部１１と監視装置制御部１２からなる。
光電スイッチ１２１の発光部１２１２で発せられた光は、光ファイバー１２１３により光ファイバー取り付け端１１３を介して監視装置検出部１１へ送られ、試験水１１１１を通過して、光ファイバー取り付け端１１４から光ファイバー１２１４を通して監視装置制御部１２にある光電スイッチ１２１の受光部１２１１へ戻る。
この受光した光のエネルギーの強さで監視装置検出部１１の試験水１１１１が汚濁したかどうかを検出する。
【００１４】  監視装置検出部１１では、試験水は、試験水流入口１１１から供給し、監視装置検出部１１に内蔵する試験水流路１１２１を通過して試験水排出口１１２から排出される。
【００１５】  試験水の汚濁は、光電スイッチ１２１の受光部１２１１で、戻る光のエネルギーを設定値と比較して判定する。この機能は光電スイッチ１２１の基本機能である。設定値より低い場合に光電スイッチ１２１は汚濁として起動し、汚濁を示す警報信号を発生する。
【００１６】  汚濁の判定はタイマー１２２による監視時間の延長により、汚濁信号の選別を行う。異常仕上がり水による光電スイッチ１２１の起動は、予想される誤報の原因である気泡やゴミの通過とは区別がつかない。しかしこれらの誤報要因は継続時間が短く、異常仕上がり水によるものは継続時間が長いので、監視時間を延長することによりほとんどの場合両者を区別することができる。
【００１７】  以上のように検出、選別された汚濁信号は異常警報として監視装置制御部１２より必要な所へ電送することができる。
【産業上の利用可能性】
【００１８】  コスト削減のために上水に準じる水質を持つ安価な用水を得る努力が続けられている。
用水の価格を低減するために仕上がり処理水を人員により監視することはできない。また廉価な監視装置は市販されていない。このために異常仕上がり水による損失が大きい需要家では上水を使用している。また異常仕上がり水による損失が小さいところは無監視で運転している。
この監視装置１により仕上がり水の水質と信頼性が向上すれば、水処理装置の市場は広がり、また安価な用水を使用できれば産業の競争力につながる。
【符号の説明】
【００１９】１  監視装置
１１  監視装置検出部
１１１  試験水流入口
１１１１  試験水
１１２  試験水排出口
１１３  光ファイバー取り付け端
１１４  光ファイバー取り付け端
１２  監視装置制御部
１２１  光電スイッチ
１２１１  受光部
１２１２  発光部
１２１３  光ファイバー
１２１４  光ファイバー
１２２  タイマー
１３  制御出力
２  薬品槽
２１  薬品送液管
３  水源
３１  原水送水管
４  水処理部
５  仕上がり水水槽
６  水処理指令装置
７  仕上がり水送水管
７１  仕上がり水送水管分流管
【図１】
0003166496.tif 000003
【図２】
0003166496.tif 000004